(57)【要約】本発明は、前方が開口した第１開口部を備える外箱；前記外箱内に備えられる内箱；前記内箱の下部に設けられて、前記内箱と分離された機械室を形成する機械室形成部；前記外箱と前記機械室形成部の間に形成される発泡空間(Ｆｏｒｍｉｎｇ ｓｐａｃｅ)；前記発泡空間を満たす発泡プラスチック(Ｆｏａｍｅｄ ｐｌａｓｔｉｃｓ)；及び前記発泡空間において前記外箱の両側面に位置して前記外箱の強度を補強する強度補強部；を含む衣類処理装置に関する。
2021531914.tif 000002
【特許請求の範囲】
【請求項１】
衣類処理装置であって、
前方が開口した第１開口部を備える外箱；
前記外箱内に備えられ、衣類が収容される空間を形成する内箱；
前記内箱の下部に設けられて、前記内箱と分離された機械室を形成する機械室形成部；
前記外箱及び前記内箱の間、前記外箱及び前記機械室形成部の間、また前記内箱及び前記機械室形成部の間に形成される発泡空間(Ｆｏｒｍｉｎｇ ｓｐａｃｅ)；
前記発泡空間を満たす発泡プラスチック(Ｆｏａｍｅｄ ｐｌａｓｔｉｃｓ)；及び
前記発泡空間において前記外箱の両側面に位置して前記外箱の強度を補強する強度補強部；を備える、衣類処理装置。
【請求項２】
前記強度補強部はＬ字状のブラケットからなることを特徴とする、請求項１に記載の衣類処理装置。
【請求項３】
前記ブラケットは、
前記外箱の下部から上部方向に向かう第１メンバー；
前記外箱の後方から前方に向かう第２メンバー；及び
前記第１メンバーと前記第２メンバーが重畳して結合された重畳部；を備えることを特徴とする、請求項２に記載の衣類処理装置。
【請求項４】
前記外箱は後方が開口した第２開口部を更に備え、
前記第２開口部に結合して前記外箱の後面を形成する後方パネル部；を更に備え、
前記後方パネル部は、
前記第２開口部に結合して前記内箱に連通する後面を形成する第１後方パネルと前記第２開口部に結合して前記機械室形成部に連通する後面を形成する第２後方パネルを備えることを特徴とする、請求項３に記載の衣類処理装置。
【請求項５】
前記外箱の底部を形成するベース；を更に備え、
前記外箱は、
前記外箱の両側面の下部においてそれぞれ反対側に延びる第１外箱フランジ；
前記第１外箱フランジが前記内箱の方向に陥没して前記機械室形成部の下部に結合される第１結合部；
前記外箱の両側面の後方においてそれぞれ反対側に延びる第２外箱フランジ；及び
前記第２外箱フランジが前記第１開口部の方向に陥没して前記機械室形成部に結合される第２結合部；を更に備え、
前記ブラケットは、
長いバー状を幅方向に２回折り曲げて、前記ブラケットの設置時、前記第１結合部及び前記第２結合部との干渉を回避するための回避空間を形成することを特徴とする、請求項４に記載の衣類処理装置。
【請求項６】
前記ブラケットは、
長いバー状を長手方向に折り曲げるとき、前記第１メンバーの長さＬ1及び前記第２メンバーの長さＬ2が同一であり、前記外箱の両側面のいずれにも結合可能であることを特徴とする、請求項５に記載の衣類処理装置。
【請求項７】
前記ブラケットは、
前記外箱の一側面の下部に位置する第１ブラケット；及び
前記外箱の他側面の下部に位置する第２ブラケット；を備えることを特徴とする、請求項６に記載の衣類処理装置。
【請求項８】
前記ブラケットは、
長いバー状が幅方向に２回折り曲げられて前記外箱の側面に結合する第１折曲面；
前記回避空間形成のための第２折曲面及び第３折曲面；及び
前記第１外箱フランジ或いは前記第２外箱フランジに結合する第４折曲面；を備え、
前記第１折曲面の幅Ｗ１が第４折曲面の幅４よりも長いことを特徴とする、請求項５に記載の衣類処理装置。
【請求項９】
前記ブラケットは、前記第１折曲面の長さＬＢ１が前記第４折曲面の長さＬＢ２よりも長いことを特徴とする、請求項５〜８の何れか一項に記載の衣類処理装置。
【請求項１０】
前記重畳部は、
長いバー状を長手方向に折り曲げるとき、前記第１メンバーと前記第２メンバーの重畳部分がコーキング溶接(Ｃａｕｌｋｉｎｇ)されることを特徴とする、請求項５に記載の衣類処理装置。
【請求項１１】
前記強度補強部は前記発泡空間内に位置することを特徴とする、請求項１に記載の衣類処理装置。
【請求項１２】
前記発泡プラスチックは、ポリウレタン(Ｐｏｌｙｕｒｅｔｈａｎｅ)、ポリスチレン(Ｐｏｌｙｓｔｙｒｅｎｅ)、及びポリオレフィン(Ｐｏｌｙｏｌｅｆｉｎ)のうちの何れかからなることを特徴とする、請求項１に記載の衣類処理装置。
【発明の詳細な説明】
【技術分野】
【０００１】
本発明は衣類処理装置に関する。
【背景技術】
【０００２】
一般に衣類処理装置は、衣類に関連する各種の作業(洗濯、乾燥、脱臭、シワ除去など)を行う装置であり、衣類を洗濯する洗濯装置、ぬれた衣類を乾燥する乾燥装置、衣類に染み付いた匂い又はシワ（ｗｒｉｎｋｌｅ）を除去するリフレッシャー（ｒｅｆｒｅｓｈｅｒ）などを含む概念である。
【０００３】
衣類処理装置は衣類の洗濯、乾燥、脱臭及びシワ除去を１つの装置で解決できるように開発されている。図１に示す韓国公開特許(出願番号１０−２００９−０１２４５９６)の'衣類処理装置'を参考すると、衣類を置く収容空間を備える内箱２０と、内箱２０の下部から内箱２０に熱風又は水分を供給する熱風供給部(図示せず)と、内箱２０及び熱風供給部の外部に備えられて外観を形成する外箱３１，３２，３３，４０とからなる衣類処理装置が登場する。
【０００４】
従来の衣類処理装置は、内箱２０に備えられた収容空間に衣類を置いた状態で、キャビネットの下部に位置する熱風供給部(図示せず)から熱風を供給したり衣類を圧迫したりして、脱臭と同時にシワを除去することができる。これにより衣類がキャビネット内で自重により広げられた状態で熱風又は水分が供給されるので、別途の装置がなくても衣類の脱臭及びシワ除去が可能であるという長所がある。
【０００５】
また従来の衣類処理装置は、内箱２０、熱風供給部及びキャビネットの形状を固定し、耐久性を保障するために、さらにフレーム１０を備えている。フレーム１０は、高さ方向に備えられた複数の垂直フレーム１１と、垂直フレーム１１を幅方向に連結する複数の水平フレーム１２とで構成され、内箱２００を安定して収容し、熱風供給部(図示せず)などから発生する振動を効果的に支持することができる。
【０００６】
但し、この衣類処理装置は、製作過程において、水平フレーム１２と垂直フレーム１１を組み立てた後、組み立てられたフレーム１０に内箱２０及び熱風供給部を固定し、その後、外箱３１，３２，３３，４０を再度フレーム１０に結合するので煩わしい。特にキャビネットの上面３１、側面３２，３３及び背面４０がそれぞれ備えられる場合は、それぞれの構成を全部フレーム１０に結合する必要があるので煩わしい。
【０００７】
またフレーム１０の組立ての際だけではなく、内箱２０及び外箱３１，３２，３３，４０を結合する過程でも１２０個以上のボルト又はナットなどの結合部材の組み立てが必要であるという短所がある。
【０００８】
したがって、衣類処理装置の制作期間が長くなるだけではなく、特定の結合部材の締結が不完全であるか又は省略される場合には、衣類処理装置自体の耐久性を保障できないなど、不良率が増加する問題がある。
【０００９】
これを解決するために、フレームを発泡プラスチック(Ｆｏａｍｅｄ ｐｌａｓｔｉｃｓ)に代替することが考えられている。即ち、そのために、後述する内箱１２０(図２の(ａ)を参照)と外箱１１０(図２の(ａ)を参照)の間に発泡プラスチックを満たす方法である。この場合、内箱１２０(図２を参照)と外箱１１０(図２を参照)の間をフレームの代わりに発泡プラスチックを用いて発泡成形すると、騒音及び振動の低減、断熱効果の増大及び製作費用の減少などの様々な長所がある。しかし、フレーム１１，１２に比べて構造強性(Ｓｔｒｕｃｔｕｒａｌ Ｓｔｉｆｆｎｅｓｓ)が悪いという短所がある。特に、図２に示す外箱の側面１１１の下部の構造強性が弱いため、曲げ変形(Ｂｅｎｄｉｎｇ ｄｅｆｏｒｍａｔｉｏｎ)に弱いという問題がある。
【発明の概要】
【発明が解決しようとする課題】
【００１０】
本発明は、発泡プラスチックの使用により弱くなった構造強性を補完するための強度補強部を含む衣類処理装置を提供する。本発明は、脆弱部位である外箱側面の下部形状に合わせてＬ字状に設けられ、両側面のいずれにも使用できるように対称に設計された強度補強部を含む衣類処理装置を提供する。
【課題を解決するための手段】
【００１１】
上記課題を解決するために、本発明の一実施例においては、外箱の両側面の後方の下部にＬ字状の強度ブラケットを設ける。これにより、強度脆弱部を補強することができる。また両側面に同一の強度ブラケットを使用するように設計する。また仮組立のとき、Ｌ字状の強度ブラケットが機械室形成部の側面と外箱の側面の間に設けられて、発泡時に発泡プラスチックにより覆われるようにする。
【００１２】
具体的には、本発明の一実施例においては、前方が開口した第１開口部を備える外箱；外箱内に備えられ、衣類が収容される空間を形成する内箱；内箱の下部に設けられて、内箱と分離された機械室を形成する機械室形成部；外箱及び内箱の間、外箱及び機械室形成部の間、また内箱及び機械室形成部の間に形成される発泡空間(Ｆｏｒｍｉｎｇ ｓｐａｃｅ)；発泡空間を満たす発泡プラスチック(Ｆｏａｍｅｄ ｐｌａｓｔｉｃｓ)；及び発泡空間において外箱の両側面に位置して外箱の強度を補強する強度補強部；を含む衣類処理装置を提供する。
【００１３】
強度補強部はＬ字状のブラケットからなる。またブラケットは外箱の下部から上部方向に向かう第１メンバー；外箱の後方から前方に向かう第２メンバー；及び第１メンバーと第２メンバーが重畳して結合された重畳部；を含む。
【００１４】
外箱は後方が開口した第２開口部をさらに含み、第２開口部に結合して外箱の後面を形成する後方パネル部；をさらに含み、後方パネル部は第２開口部に結合して内箱に連通する後面を形成する第１後方パネルと第２開口部に結合して機械室形成部に連通する後面を形成する第２後方パネルを含む。
【００１５】
衣類処理装置は外箱の底部を形成するベース；をさらに含み、外箱は外箱の両側面の下部においてそれぞれ反対側に延びる第１外箱フランジ；第１外箱フランジが内箱の方向に陥没して機械室形成部の下部に結合される第１結合部；外箱の両側面の後方においてそれぞれ反対側に延びる第２外箱フランジ；及び第２外箱フランジが第１開口部の方向に陥没して機械室形成部に結合される第２結合部；をさらに含み、ブラケットは長いバー状を幅方向に２回折り曲げて、ブラケットの設置時、第１結合部及び第２結合部との干渉を回避するための回避空間を形成する。
【００１６】
ブラケットは長いバー状を長手方向に折り曲げるとき、第１メンバーの長さＬ1及び第２メンバーの長さＬ2が同一であり、外箱の両側面のいずれにも結合可能である。
【００１７】
ブラケットは、外箱の一側面の下部に位置する第１ブラケット；及び外箱の他側面の下部に位置する第２ブラケット；を含む。
【００１８】
ブラケットは、長いバー状が幅方向に２回折り曲げられて外箱の側面に結合する第１折曲面；回避空間形成のための第２折曲面及び第３折曲面；及び第１外箱フランジ或いは第２外箱フランジに結合する第４折曲面；を含み、第１折曲面の幅Ｗ１が第４折曲面の幅４よりも長い。
【００１９】
ブラケットは、第１折曲面の長さＬＢ１が第４折曲面の長さＬＢ２よりも長い。
【００２０】
一方、重畳部は長いバー状を長手方向に折り曲げるとき、第１メンバーと第２メンバーの重畳部分がコーキング溶接(Ｃａｕｌｋｉｎｇ)される。
【００２１】
また強度補強部は発泡空間に位置し、発泡プラスチックはポリウレタン(Ｐｏｌｙｕｒｅｔｈａｎｅ)、ポリスチレン(Ｐｏｌｙｓｔｙｒｅｎｅ)及びポリオレフィン(Ｐｏｌｙｏｌｅｆｉｎ)のうちのいずれかからなる。
【発明の効果】
【００２２】
上記解決手段により、本発明では以下のような効果が得られる。第一に、内箱と外箱の間にフレームの代わりに発泡プラスチックを用いることによる弱い強性を補完する強度補強部を提供することができる。第二に、強度補強部を左右側共用に設けることができるので、製品制作の費用を節減することができる。第三に、仮組立のとき、工程を単純化することができる。第四に、製品耐久性の向上によりユーザの製品信頼度が向上される。
【図面の簡単な説明】
【００２３】
【図１】既存の衣類処理装置のフレーム１１，１２を示す図である。
【図２】図２の(ａ)は本発明の一実施例において発泡成形前に仮組立された衣類処理装置を示す分解図である。図２の(ｂ)は発泡成形後の衣類処理装置を前方から見た図である。
【図３】機械室２００に設けられる熱交換部２２０、スチーム発生部１５０及び内箱１２０に備えられる第１貫通部１２１１を示す図である。
【図４】衣類処理装置から分離された第２後方パネル１４２とベース１９０を示す図である。
【図５】図５の(ａ)は機械室形成部３００を前方から見た図である。図５の(ｂ)は機械室形成部３００を後方から見た図である。
【図６】図６の(ａ)は折り曲げる前の第１ブラケット５１０を示し、図６の(ｂ)は折り曲げた後の第１ブラケット５１０を示し、図６の(ｃ)は第１ブラケット５１０の一断面を示す図である。
【図７】図７の(ａ)は第１後方パネル１４１と外箱の一側面１１２が結合した第２結合部１１２１１及び第２結合部１１２１１を回避して結合される第１ブラケット５１０の断面を示す図である。図７の(ｂ)は機械室形成部３００の一側面から延びた第４形成部フランジ３２４４、外箱の一側面１１２の第２結合部１１２１１及び第２結合部１１２１１を回避して結合される第１ブラケット５１０の断面を示す図である。図７の(ｃ)は後方から見た、機械室形成部３００の一側面において第５形成部フランジ３２５５と外箱の一側面１１２の下部から延びた第１外箱フランジ１１１１の第１結合部位１１１１１及び第１結合部位１１１１１を回避して結合される第２ブラケット５２０の断面を示す図である。
【発明を実施するための形態】
【００２４】
以下、添付する図面に基づいて本発明の好ましい実施例について詳しく説明する。以下に記載する装置の構成や制御方法は本発明の実施例を説明するためものであり、本発明の権利範囲を限定するものではない。また明細書全般において、同一の参照番号は同一の構成要素を示す。
【００２５】
この明細書に記載の特定の用語は単に説明の便宜のためのものであり、例示する実施例の限定のために使用するものではない。例えば、「ある方向に」、「ある方向に沿って」、「平行」、「直交」、「中心」、「同心」或いは「同軸」などの相対的或いは絶対的な配置を表す表現は、厳密にそのような配置を表すのみならず、公差若しくは同じ機能が得られる程度の角度や距離をもって相対的に変位している状態も表すものとする。
【００２６】
例えば、「同一」、「等しい」及び「均質」などの物事が等しい状態であることを表す表現は、厳密に等しい状態を表すのみならず、公差若しくは同じ機能が得られる程度の差が存在している状態も表すものとする。
【００２７】
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
【００２８】
一方、一つの構成要素を「備える」、「具える」、「具備する」、「含む」又は「有する」という表現は、他の構成要素の存在を除外する排他的な表現ではない。
【００２９】
またこの明細書では、互いに異なる実施例であっても同一・類似する構成については同一・類似する参照番号を付与し、重複する説明は省略する。
【００３０】
互いに異なる実施例であっても構造的・機能的に矛盾しないと、いずれか１つの実施例に適用した構造を他の実施例にも同様に適用することができる。
【００３１】
単数の表現は文脈上明白に違う意味でない限り、複数の表現を含む。
【００３２】
本発明を説明するにあたり、関連する公知の技術に関する具体的な説明が本発明の要旨をあいまいにし得ると判断された場合、その詳細な説明を省略する。
【００３３】
添付図面はこの明細書に開示された実施例を簡単に理解できるようにするためのものであり、添付図面によってこの明細書に開示された技術的思想が制限されず、本発明の思想および技術範囲に含まれる全ての変換、均等物または代替物を含むことが理解されなければならない。
【００３４】
上述したように、図１に示すフレーム１１、１２を使用する既存の衣類処理装置では、長い製作期間がかかるだけではなく、特定の結合部材の締結が不完全であるか或いは省略された場合、衣類処理装置自体の耐久性を保障できないなど不良率が増大する問題がある。
【００３５】
これを解決するために、フレーム１１、１２を発泡プラスチック(Ｆｏａｍｅｄ ｐｌａｓｔｉｃｓ)で代替することができる。発泡プラスチックとは、合成樹脂(ｐｏｌｙｍｅｒ ｍａｔｅｒｉａｌ)に発泡剤を用いてガスを粗密に生成して発泡(フォーム)又は多孔質形状の構造を有する合成樹脂を意味する。また固体である合成樹脂と気体である不均一な分散系(ｉｎｈｏｍｏｇｅｎｅｏｕｓ ｓｕｓｐｅｎｓｉｏｎ)を意味することができる。
【００３６】
発泡プラスチックは伝統的な軽量性、緩衝性、防音性、断熱性などを与える機能性複合素材であり、様々な製品に適用されている。かかる発泡プラスチックの原料合成樹脂としては、ポリウレタン(Ｐｏｌｙｕｒｅｔｈａｎｅ)、ポリスチレン(Ｐｏｌｙｓｔｙｒｅｎｅ)、ポリオレフィン(Ｐｏｌｙｏｌｅｆｉｎ)のうちのいずれかが使用され、それ以外にもフェノール樹脂、ポリ塩化ビニル、ウレア樹脂、シリコン、ポリイミド及びメラミン樹脂なども発泡化されて用いられる。
【００３７】
特に、ポリウレタンは、ポリオールを主成分とする軟質セグメント(Ｓｏｆｔ ｓｅｇｍｅｎｔ)とジイソシアネート(Ｄｉｉｓｏｃｙａｎａｔｅ)から反応して生成される硬質セグメント(Ｈａｒｄ ｓｅｇｍｅｎｔ)からなる高分子である。セグメント形態のポリウレタン高分子は、製造原料の種類と合成方法によってその物性を様々に変化して多様な用途に使用することができる。特に、イソシアネートとヒドロキシル基が結合されたことをウレタン結合といい、この結合が複数個であることをポリウレタンという。その後、様々な条件下で選択的にウレタン結合を形成しながら優れた弾性を有するポリウレタン、ゴムのように柔らかいポリウレタン、木のように堅いポリウレタンなどの様々な性質を有するポリウレタンが形成されており、所望の性質を調節することができる。
【００３８】
次に、フォーム(ｆｏａｍ)形態の省エネルギー素材として広く使用される断熱材として注目を集めており、今は電気電子製品にも断熱材として広く使用されている。
【００３９】
ポリウレタンフォームは固体である高分子と発泡ガスからなる。発泡ガスはポリウレタン合成反応時、反応温度の上昇によって気化してフォーム内のセル(ｃｅｌｌ)に位置することにより熱を遮断する役割の一部を担当する。
【００４０】
ポリウレタンをフォーム形態に変化するためにポリウレタン樹脂内に混合される発泡剤は、通常化学的発泡剤と物理的発泡剤に区別される。化学的発泡剤は化学反応によって気泡が形成される。反面、物理的発泡剤は圧縮ガスの物理的な状態変化や液体の相変化(気化など)によって気泡が形成されることを利用したものである。
【００４１】
例えば、化学剤発泡剤の場合、水分子とイソシアネート(Ｉｓｏｃｙａｎａｔｅ)が反応して不安定した炭酸(Ｃａｒｂｏｎｉｃ ａｃｉｄ)を形成し、それがアミン(Ａｍｉｎｅ)と二酸化炭素に分解される。アミンは更に余分のイソシアネートと反応してウレア(Ｕｒｅａ)結合を形成し、二酸化炭素は樹脂内に新しい気泡を形成し、続いて発生するガスは既存の気泡を成長させると同時に、新しい気泡も生成する。これは一実施例に過ぎず、使用の目的によって様々な発泡剤がある。
【００４２】
発泡成形のためには、予め準備した発泡成形枠(ｆｏａｍｉｎｇ ｍｏｌｄ)や発泡成形ジグ(Ｆｏａｍｉｎｇ ｊｉｇ)に仮組立された衣類処理装置１００を入れた後、衣類処理装置に備えられた注入口１４１１〜１４１６を介して発泡プラスチックを注入する。
【００４３】
即ち、注入前の発泡プラスチックは液体状態であるので、注入口１４１１〜１４１６を介して注入された後、発泡成形過程を経て硬化する。注入時、発泡剤は液体状態の発泡剤と共に注入される。したがって、注入時には発泡プラスチックの漏れを防ぐことが重要である。
【００４４】
注入口１４１１〜１４１６は衣類処理装置１００の後方に備えられる後方パネル部１４０に設けられる。注入口を介して発泡空間９２１〜９２５(図２の(ｂ)を参照)に入った発泡プラスチックは発泡空間を満たす。発泡空間にあった空気や発泡時に発生するガスはガス排出口１４１９を介して排出されることができる。これは残留ガスによって発泡プラスチックが発泡空間９２１〜９２５(図２の(ｂ)を参照)を全部満たさないか又は発泡圧力によって内箱１２０、外箱１１０や機械室形成部３００が変形されることを防止するためのものである。
【００４５】
もし衣類処理装置１００に隙間がある場合、隙間から発泡プラスチックが漏れることができる。これは発泡空間９２１〜９２５(図２の(ｂ)を参照)以外の他の空間に発泡プラスチックが漏れることを意味する。かかる漏れを防止するために、発泡成形前の衣類処理装置１００は仮組立によって発泡プラスチックが漏れる可能性のある全ての隙間や孔を塞ぐ必要がある。
【００４６】
図２の(ａ)は発泡プラスチックの注入のために仮組立された衣類処理装置を成形モールド或いは成形ジグに入れる前に発泡空間の形成及び漏液を防ぐために仮組立する部品を分解して示した図である。
【００４７】
図２の(ａ)を参照すると、前方が開口された第１開口部１１３、後方が開口された第２開口部１１４及び底面が開口された第３開口部１１５及び上部の一部が開口された第４開口部１１６を備える外箱１１０と、外箱１１０内に備えられ、衣類が収容される空間１２５を形成する内箱１２０とが組み立てられる。
【００４８】
外箱１１０において、第４開口部１１６にはムービングハンガーを設けるためのムービングハンガー設置ボディ６１１が設けられる。ムービングハンガー設置ボディ６１１にはムービングハンガーの駆動部が設けられる駆動部設置孔６１２と、ムービングハンガーバーを連結する連結部が挿入される連結部挿入孔６１３，６１４とが設けられる。
【００４９】
また内箱１２０の上部には連結部挿入孔６１３，６１４に連通する内箱の貫通孔１２３，１２４が備えられる。
【００５０】
駆動部設置孔６１２は内箱１２０の上部と外箱１１０の上部の間に位置する発泡プラスチックが発泡される第１発泡空間９２１(図２の(ｂ)を参照)を形成するために孔を塞ぐカバー(図示せず)が必要である。したがって、第１発泡空間９２１(図２の(ｂ)を参照)に発泡プラスチックが注入されても漏液を防ぐことができる。
【００５１】
内箱１２０の下部にはスチーム生成のための水を貯蔵し、凝縮された水を貯蔵するための給排水タンク(図示せず)が設けられるタンク設置部１３０が備えられる。タンク設置部は内箱と一体に設けられるか、別途に分離して設けられることができる。タンク設置部の下部には内箱の前方を開閉するために外箱に回動可能に結合されるドア(図示せず)が設けられる。ドアはユーザの選択によって外箱の左側或いは右側に回動可能に結合される。即ち、ドアは左右両側のうち、一方に結合可能である。これをリバーシブルドア(Ｒｅｖｅｒｓｉｂｌｅ Ｄｏｏｒ)という。
【００５２】
またドアに備えられるディスプレイ(図示せず)及び複数のセンサ(図示せず)と機械室に位置する制御部(図示せず)の制御信号の交換のために電線が通過する通路が必要である。このために、第１タンク設置部の貫通孔１３１、第２タンク設置部の貫通孔１３２がそれぞれタンク設置部１３０の下部に備えられる。第１タンク設置部の貫通孔１３１は第１連結ボディ１５１に連結され、第１連結ボディ１５１は後述する機械室形成部３００の第４形成部貫通孔３７１に連結されて電線が通過する密閉通路を形成する。
【００５３】
同様に、第２タンク設置部の貫通孔１３２は第２連結ボディ１５２に連結され、第２連結ボディ１５２は後述する機械室形成部３００の第５形成部貫通孔３７２に連結されて電線が通過する密閉通路を形成する。また密閉通路によって発泡プラスチックが機械室形成部３００とタンク設置部の間に注入されても漏液を防ぐことができる。
【００５４】
これはドアが左右のいずれかに連結されるのかによって電線が通過する通路も変わるので、それを考慮して設計したものである。
【００５５】
タンク設置部１３０には機械室に連通する機械室貫通孔１７０が備えられて給排水タンクの給排水管又は給排水バルブが機械室形成部３００の第３形成部貫通孔３７０を介して機械室２００内に連結される。したがって、発泡プラスチックの漏液を防ぐために発泡前の機械室貫通孔１７０及び第３形成部貫通孔３７０を防ぐカバーがそれぞれ必要である。
【００５６】
タンク設置部１３０の下部には機械室に位置する熱交換機２２０に外部空気を吸入して送るための第６タンク設置部の貫通孔１３５が設けられる。第３タンク設置部の貫通孔１３５は第３空気吸入口２１５に連結され、第３空気吸入口２１５は後述する機械室形成部３００の第６形成部貫通孔３７５に連結されて、外部空気が吸入される密閉通路を形成する。また第３空気吸入口２１５によって発泡プラスチックが機械室形成部３００とタンク設置部の間に注入されても漏液を防ぐことができる。
【００５７】
外箱の底面１２１に位置する第３開口部１１５の前方にはタンク設置部１３０の下部に連結されて衣類処理装置１００の水平を合わせるための第１ねじ１６６及び第２ねじ１６７と結合する脚固定部１６５が設けられる。脚固定部１６５は第１ブラケット１６１及び第２ブラケット１６２を用いてタンク設置部１３０の下部に連結される。
【００５８】
よって、機械室形成部３００とタンク設置部１２０の間の空間は脚固定部１６５、第１連結ボディ１５１、第２連結ボディ１５２及び第３空気吸入口２１５、機械室貫通孔１７０及び第３形成部貫通孔３７０を防ぐカバーによって全て密閉されて、発泡プラスチックが発泡される第５発泡空間９２５(図２の(ｂ)を参照)を形成する。したがって、第５発泡空間９２５(図２の(ｂ)を参照)に発泡プラスチックが注入されても漏液を防ぐことができる。
【００５９】
内箱の側面１２２とそれに対応する外箱の側面１１２の間にも発泡プラスチックが注入されて発泡される第２発泡空間９２２(図２の(ｂ)を参照)が設けられる。また機械室形成部の側面３２０とそれに対応する外箱の側面１１２の間にも発泡プラスチックが注入されて発泡される第４発泡空間９２４(図２の(ｂ)を参照)が設けられる。
【００６０】
一方、内箱１２０は衣類が収容される空間１２５を含む。内箱の底面１２１には機械室に連通してスチームを内箱内に供給する第１貫通部１２１１(図３を参照)、空気を内箱内に供給する第２貫通部１２１２(図３を参照)及び空気を機械室に排出する第３貫通部１２１３(図３を参照)が備えられる。また底面１２１(図３を参照)は凝縮したスチームが排出されるように第３貫通部の方向に傾いて備えられる。
【００６１】
第１貫通部１２１１(図３を参照)は機械室形成部の置載面３５０の間にスチームノズル２６０が位置して、第１貫通部１２１１(図３を参照)と置載面３５０に備えられた第１置載面貫通孔３５１(図５を参照)及び第２置載面貫通孔３５２(図５を参照)を介した漏液を防ぐことができる。
【００６２】
第２貫通部１２１２(図３を参照)と第１形成部貫通孔４６１の間及び第３貫通部１２１３(図３を参照)と第２形成部貫通孔４６２の間にはそれぞれ第１循環連結ボディ１９１及び第２循環連結ボディ１９２が位置する。したがって、機械室形成部３００の上面である第１機械室形成面３１０と内箱の底面１２１の間の第３発泡空間９２３が密閉され、発泡プラスチックが注入されても漏液を防ぐことができる。
【００６３】
外箱１１０及び内箱１２０の間、外箱１１０及び機械室形成部３００の間、そして内箱１２０及び機械室形成部３００の間に形成される発泡空間(Ｆｏｒｍｉｎｇ ｓｐａｃｅ)には発泡プラスチックが満たされて、全ての発泡空間が１つに連結される。
【００６４】
即ち、第１発泡空間９２１(図２の(ｂ)を参照)、第２発泡空間９２２(図２の(ｂ)を参照)、第３発泡空間９２３(図２の(ｂ)を参照)、第４発泡空間９２４(図２の(ｂ)を参照)及び第５発泡空間９２５(図２の(ｂ)を参照)は互いに連結される。したがって、発泡プラスチックを第１後方パネル１４１に位置する注入口１４１１〜１４１６から注入する場合、全ての発泡空間に発泡プラスチックが流れ込んで満たされる。
【００６５】
一方、機械室形成部の両側面３２０とそれに対応する外箱の機械室の両側面１１２の間に発泡プラスチックの注入前に予め強度補強部５００を設けることができる。これは外箱１１０の下部の強性が弱くなって曲げ変形が発生することを防止するためのものである。
【００６６】
強度補強部５００はＬ字状のブラケットであって、第２後方パネル１４２と結合する外箱側面の後方と、衣類処理装置の底面を形成するベース１９０に結合する外箱側面の下部に結合される。第２後方パネル１４２と結合する外箱側面の後方に結合される強度補強部５００の長さＬ２と、衣類処理装置の底面を形成するベース１９０と結合する外箱側面の下部に結合される強度補強部５００の長さＬ１は同一である。したがって、強度補強部は両側面のいずれにも設置されるように共用化できる。
【００６７】
強度補強部５００は外箱の両側面１２２に設けられる第１ブラケット５１０及び第２ブラケット５２０を含む。また両ブラケットは、上述したように、いずれの外箱の一側面にも組み立てることができる。
【００６８】
図２の(ａ)に示した構成要素が仮組立されると、図２の(ｂ)のような形状になる。強度補強部５００は外箱側面内に設けられるので見えないが、該当位置を表すために図示する。
【００６９】
仮組立された衣類処理装置の後方には第１後方パネル１４１に位置する注入口１４１１〜１４１６を介して発泡剤を含む発泡プラスチックが注入され、第１後方パネル１４１のガス排出口１４１９によって残留ガスが排出される。
【００７０】
図３は内箱１２０と機械室２００の断面を示す。内箱１２０内に空気を供給するために備えられる空気吸入口２１１，２１２，２１５及び蒸発器２２１と凝縮器２２２を含む熱交換部２２０、スチームを供給するためのスチーム発生部２５０が示されている。また内箱の底面に備えられてスチームを供給する第１貫通部１２１１、空気を供給する第２貫通部１２１２、機械室に空気又はスチームを排出する第３貫通部１２１３が示されている。スチーム発生部２５０はヒーターを備えており、給水タンク(図示せず)から供給された水を気化した後、スチームノズル２６０(図２の(ａ)を参照)を介して内箱１２０内にスチームを供給する。
【００７１】
図４は仮組立された衣類処理装置を後方の下部から見た図である。外箱１１０の第３開口部１１５の方向からベース１９０と外箱の両側面１１２が結合される。ベース１９０は衣類処理装置１００の底部を形成する。外箱の両側面１１２のうち、第３開口部の方向に位置する両辺から延びた第１外箱フランジ１１１１が備えられて、後述する機械室形成部３００の第５形成部フランジ３２５５に結合する。
【００７２】
一方、第２開口部１１４の方向には第１後方パネル１４１が外箱１１０に結合し、機械室形成部３００に対応する位置は第２後方パネル１４２が結合される。後方パネル部１４１、１４２は結合後、外箱１１０の後面を形成する。外箱の両側面１１２のうち、第２開口部の方向に位置する両辺から延びた第２外箱フランジ１１２１が備えられて、後述する機械室形成部３００の第４形成部フランジ３２４４に結合される。
【００７３】
図５は内箱１２０の下部に別に備えられる機械室形成部３００を示している。図５の(ａ)は機械室形成部３００を前方から見た図である。図５の(ｂ)は機械室形成部３００を後方から見た図である。機械室形成部３００は発泡成形前に予め仮組立される。これは発泡成形後、機械室という空間を確保するためのものである。機械室形成部３００のうち、外箱１１の第２開口部の方向と第３開口部の方向は開口されている。上部を形成する第１機械室形成面３１０は置載面３５０、第１形成部貫通孔３６１及び第２形成部貫通孔３６２を含む。機械室形成部３００は両側面を形成する第２機械室形成面３２０、機械室形成部３００の前方部を形成し、タンク設置部１３０に連通する第３形成部貫通孔３７０、第４形成部貫通孔３７１、第５形成部貫通孔３７２及び第６形成部貫通孔３７６を含む第３機械室形成面３６３をさらに含む。
【００７４】
上述したように、第１機械室形成面３１０を貫通する第１形成部貫通孔４６１と第１循環連結ボディ１９１が連結され、第１機械室形成面３１０を貫通する第２形成部貫通孔４６２の間と第２循環連結ボディ１９２が連結される。したがって、第３発泡空間９２３のうち、第１機械室形成面３１０側に位置する貫通孔を介して発泡プラスチックが漏れることを防ぐことができる。
【００７５】
給排水タンクの給排水管又は給排水バルブは第３機械室形成面３３０を貫通する第３形成部貫通孔３７０を介して機械室２００内に連結される。したがって、発泡プラスチックの漏液を防ぐために発泡前の機械室貫通孔１７０を塞ぐカバーがそれぞれ必要である。
【００７６】
第３機械室形成面３３０を貫通する第４形成部貫通孔３７１及び第５形成部貫通孔３７２はそれぞれ第１連結ボディ１５１と第２連結ボディ１５２に連結されて電線が通過する通路を形成する。これにより、第５発泡空間９２５から機械室形成部３００への漏液を防ぐことができる。
【００７７】
第３機械室形成面３３０を貫通する第６形成部貫通孔３７５は第３空気吸入口２１５に連結されて外部空気を熱交換部２２０により除湿することができる。また第３空気吸入口２１５によって第５発泡空間９２５から機械室形成部３００への漏液を防ぐことができる。
【００７８】
第１機械室形成面３１０は外箱の第２開口部１１４の方向に位置する辺である第１辺３１１と、両側面である第２機械室形成面３２０が接して形成される両辺である第２辺３２２を含む。
【００７９】
機械室形成部３００の両側面を形成する第２機械室形成面３２０は、上述した第２辺３２２、第３機械室形成面３３０と接する辺である第３辺３２３、第２開口部１１４の方向に位置する第４辺３２４、及びベース１９０が結合する第３開口部１１５の方向に位置する第５辺３２５を含む。また第２機械室形成面３２０と外箱１１０の間には強度補強部５００が備えられる。
【００８０】
第１機械室形成面３１０は第１辺３１１を含む第１機械室形成面３１０の一部が内箱の底面１１１に向かって隆起して置載面３５０を形成する。置載面３５０が第１機械室形成面３１０から隆起した高さは、置載面３５０が位置するところの第３発泡空間９２３の高さ、即ち、内箱の底面１１１と第１機械室形成面３１０の間の高さよりも小さい。したがって、機械室形成部３００が内箱１１０の下部に仮組立されるとき、置載面３５０によって干渉されない。
【００８１】
また置載面３５０の隆起は仮組立されるスチームノズル２６０によって発泡時に機械室形成部３００内に挿入されるモールド又はジグ(図示せず)が干渉されないようにする。
【００８２】
発泡成形時に機械室形成部３００(図２の(ａ)を参照)が発泡圧力によって変形されるか、又は発泡プラスチックの硬化時に予想できなかった変形が発生することを防ぐために、機械室２００(図２の(ｂ)を参照)に中間モールド(ｉｎｔｅｒｍｅｄｉａｔｅ ｍｏｌｄ)や中間ジグ(ｉｎｔｅｒｍｅｄｉａｔｅ ｊｉｇ)などを挿入して補助支持部(図示せず)の役割を果たすことができる。このとき、図７に示されたスチームノズル２６０に備えられるスチーム流入口２６４１と凝縮水排出部２６４５によって中間モールドや中間ジグの挿入が妨害されることができる。したがって、それを防止するために、スチーム流入部２６４１と凝縮水排出部２６４５の挿入された長さ(ＩＬ、Ｉｎｓｅｒｔｅｄ Ｌｅｎｇｔｈ)は、置載面３５０が隆起した高さ(ＥＬ、Ｅｌｅｖａｔｅｄ Ｌｅｎｇｔｈ)よりも短く設計される。
【００８３】
置載面３５０はスチーム流入口２６４１が挿入される第１置載面貫通孔３５１と凝縮水排出部２６４５が挿入される第２置載面貫通孔３５２とを含む。第１置載面貫通孔３５１と第２置載面貫通孔３５２は穿孔時に内箱の方向に突出するように置載面突出部３５５(図６の(ｂ)を参照)を備える。置載面３５０と第１機械室形成面３１０は傾いた側面に連結される。
【００８４】
また第１辺３１１の一部も置載面３５０の隆起時に共に隆起されるが、隆起される辺を含んで第１辺の全体は、第１辺から内箱１２０の方向に延びる第１形成部フランジ３１１１を含む。
【００８５】
機械室形成部３００の両側面を形成する第２機械室形成面３２０は両側面が対称するので、一側面についてのみ説明する。第２機械室形成面３２０の一側面は第２辺３２２、第３辺３２３、第４辺３２４及び第５辺３２５を含む。第２辺３２２は内箱１２０の方向に延びた第２形成部フランジ３２２２を含む。第１形成部フランジ３１１１と第２形成部フランジ３２２２の延長高さは同一である。また第３辺３２３からタンク設置部１３０の方向に延びる第３形成部フランジ３２３３を含む。第３形成部フランジ３２３３も第１形成部フランジ３１１１と同一である。したがって、第１形成部フランジ３１１１、第２形成部フランジ３２２２及び第３形成部フランジ３２３３は透き間なく一体に形成される。
【００８６】
第４辺３２４は外箱側面１１２の方向に延びた後、折り曲げられてタンク設置部１３０の方向に延びる。したがって、上方から見たとき、Ｌ字状のフランジに形成されて第２外箱フランジ１１２１に挿入結合される。これは仮組立の時、機械室形成部３００と第２開口部１１５の一部を締結して発泡プラスチックの漏液を防ぐためのものである。第２開口部１１５の残りの部分は第１後方パネル１４１に結合できる。
【００８７】
第５辺３２５は外箱側面１１２の方向に延びた後、折り曲げられて内箱１１０の方向に延びる。したがって、前方から見たとき、Ｌ字状のフランジに形成されて第１外箱フランジ１１１１に挿入結合される。
【００８８】
強度補強部は両側面に設けられるために、第１ブラケット５１０及び第２ブラケット５２０を含む。第１ブラケット５１０及び第２ブラケット５２０は形状及びサイズが同一である。上述したように、外箱１１０の両側面のいずれに設置されても交換できるように設計されている。したがって、ここでは第１ブラケット５１０をもって説明する。
【００８９】
図６の(ａ)は折り曲げる前の第１ブラケット５１０を示す。長手方向(ＬＢ、ｌｅｎｇｔｈ ｏｆ ｂａｒ)が幅方向(ＷＢ、ｗｉｄｔｈ ｏｆ ｂａｒ)よりも長い長方形状の板金(ｍｅｔａｌ ｓｈｅｅｔ)を幅方向に３回折り曲げた後、長手方向に１回折り曲げて図６の(ｂ)の形態にする。
【００９０】
長方形状の板金を所定のサイズである第１切開部５１８と第２切開部５１９だけ切り取る。これは一実施例に過ぎず、切り取ることなくそのまま折り曲げて使用することもできる。
【００９１】
長方形状の板金を幅方向に３回折り曲げて第１折曲面５１３、第２折曲面５１４、第３折曲面５１５及び第４折曲面５１６を形成する。単に長方形状の板金を用いることより、折り曲げることによって、より大きい強性が得られるためである。また後述する外箱の側面１１２に結合するとき、外箱１１０と第１後方パネル１４１、外箱１１１と機械室形成部３００の結合空間が必要であり、それを回避するための回避空間を形成するためのものである。
【００９２】
第１切開部５１８と第２切開部５１９は第３折曲面５１５及び第４折曲面５１６の部分を切断する。したがって、第３折曲面５１５及び第４折曲面５１６の長さＬＢ２は第１折曲面５１３及び第２折曲面５１５の長さＬＢ１よりも短い。
【００９３】
図６の(ｃ)は図６の(ｂ)においてＣと表示した面を用いて切り取った断面を示す。
【００９４】
第１折曲面５１３の幅Ｗ１は他の折曲面の幅Ｗ２，Ｗ３，Ｗ４よりも長い。これは外箱の側面１１２との接触面を広くして、外箱１１０の強性を十分に補完するためのものである。
【００９５】
長手方向においては１回の折り曲げによって第１メンバー５１１と第２メンバー５１２を備えることができる。また第１メンバー５１１と第２メンバー５１２が重畳する重畳部５１７を備えることができる。重畳部はコーキング溶接(Ｃａｕｌｋｉｎｇ)される。
【００９６】
ブラケットは外箱の側面１１２に備えられる。具体的には、第１メンバー５１１は外箱の側面１１２において第２開口部１１４の方向に結合され、第２メンバー５１２は外箱の側面１１２において第３開口部１１５の方向に結合される。したがって、重畳部５１7は外箱の側面１１２において第２開口部と第３開口部が合うコーナー(ｃｏｒｎｅｒ)に結合される。
【００９７】
折曲面の観点から見ると、第１折曲面５１３は外箱の側面１１２に備えられ、第４折曲面５１６は第１外箱フランジ１１１１或いは第２外箱フランジ１１２１に結合される。
【００９８】
また、第１メンバーの長さＬ1と第２メンバーの長さＬ2は同一であることができる。したがって、上述したように、第１ブラケット５１０は外箱の両側面１１２のいずれにも組み立てることができる。また第１ブラケット５１０と第２ブラケット５２０は鏡を基準として対称することができる。したがって、結局、第１ブラケット５１０と第２ブラケット５２０は外箱の両側面１１２のいずれにも設置可能である。
【００９９】
図６の(ｂ)は折り曲げた後の第１ブラケット５１０を示す。図６の(ｃ)は第１ブラケット５１０の一断面を示す。第２折曲面５１４と第３折曲面５１５は回避空間Ｄを形成する。これは、外箱の側面１１２に結合するとき、外箱１１０と第１後方パネル１４１、外箱１１１と機械室形成部３００の結合部分を回避するためのものである。
【０１００】
一方、第１ブラケット５１０及び第２ブラケット５２０は外箱の両側面１１２に仮組立されるとき、両面テープを用いて簡単に組み立てることができる。第１ブラケット５１０及び第２ブラケット５２０は外箱１１２の側面に形成される第２発泡空間９２２及び第３発泡空間９２３に設けられる。第２発泡空間９２２及び第３発泡空間９２３は発泡プラスチックにより満たされ、発泡プラスチックは硬化されるので、他の締結部材の助けなしに両面テープのみでも仮組立して固定することができる。またブラケット５１０、５２０はスクリュー締結孔(図示せず)を含み、第１外箱フランジ１１１１と第２外箱フランジ１１２１にもこれに連通するスクリュー締結孔(図示せず)を備えているので、仮組立の後或いは仮組立のときにねじで結合することもできる。
【０１０１】
図７の(ａ)及び図７の(ｂ)は第１ブラケット５１０が外箱の側面１１２、第２外箱フランジ１１２１、機械室形成部３００に結合した断面を示す図である。図７の(ｃ)は第１ブラケット５１０が外箱側面１１２、第１外箱フランジ１１１１に結合した断面を示す図である。
【０１０２】
図２の(ｂ)を参照すると、第１ブラケット５１０の第１メンバー５１１の長さは機械室形成部の高さよりも高い。したがって、第１ブラケット５１０は外箱の側面１１２に設けるとき、第２発泡空間９２２及び第３発泡空間９２３に設けられる。言い換えれば、第１後方パネル１４１及び機械室形成部３００が第２外箱フランジ１１２１に結合される部分を考慮する必要がある。しかし、これは一実施例に過ぎず、第１メンバー５１１及び第２メンバー５１２の長さが機械室形成部３００の高さよりも短く設けられることもできる。
【０１０３】
以下、図７を参照しながら、第１外箱フランジ１１１１及び第２外箱フランジ１１２１について詳しく説明する。
【０１０４】
発泡空間９２１〜９２５には注入口１４１１〜１４１６を介して発泡プラスチックが注入される。したがって、発泡空間９２１〜９２５は密閉して発泡成形中に発泡プラスチックが漏れることを防止する必要がある。そのために、外箱１１０の第２開口部１１４が第１後方パネル１４１と機械室形成部３００に結合されて、発泡空間９２１〜９２５に注入される発泡プラスチックが漏れないようにしなければならない。
【０１０５】
この明細書において、密閉とは、空気と完全に通じない気密を意味することではなく、発泡プラスチックが漏れないか、又は発泡空間を形成するために仮組立された構成要素間の結合部位のみに漏れ、それ以外の空間には漏れないこと、仮組立の後、わざと分解しない限り目視では発泡プラスチックが見えない程度のことを意味する。
【０１０６】
発泡プラスチックの漏れを防止するために、第２外箱フランジ１１２１と第１後方パネル１４１が結合し、第１後方パネル１４１の下部に機械室形成部３００の第４形成部フランジ３２４４が第２外箱フランジ１１２１に結合する。これにより第２開口部１１４の方向への漏液を防止することができる。
【０１０７】
また第１外箱フランジ１１１１と機械室形成部３００の第５形成部フランジ３２５５が結合して第３開口部１１５の方向への漏液を防止することができる。
【０１０８】
図７の(ａ)は、仮組立後、第１後方パネル１４１と第２外箱のフランジ１１２１が結合した第２結合部１１２１１、そしてこれを回避して結合された第１ブラケット５１０の断面を示す。上述したように、第１メンバー５１１と第２メンバー５１２の長さは同一であり、外箱の両側面１１２のいずれにも設置可能であり、第１メンバー５１１と第２メンバー５１２の長さは機械室形成部３００の高さよりも長いので、第１後方パネル１４１が結合する部分と一部重畳することができる。
【０１０９】
外箱の一側面１１２において反対側面に延びる第２外箱フランジ１１２１は第１開口部１１３の方向に陥没して第２結合部１１２１１を形成する。第２結合部は第２外箱フランジ１１２１に第１後方パネル１４１の両側面で折り曲げられたフランジが挿入されて固定される。図示した一実施例では、第１後方パネル１４１の折り曲げられたフランジに突出溝があり、これが第２結合部１１２１１に挿入されてフック結合される。これは仮組立を容易にするためのものである。しかし、これに限られず、発泡プラスチックの漏液を防止できる結合であれば、他の結合方式であってもよい。
【０１１０】
第１ブラケット５１０の第１折曲面５１３は外箱の一側面１１２に結合し、第４折曲面５１６は第２結合部１１２１１を形成した後、第２外箱フランジ１１２１に結合する。より詳しくは、第２外箱フランジ１１２１が第２結合部を形成した後、反対側面にさらに延びた部分と第４折曲面５１６が結合される。第２結合部は第２折曲面５１３と第３折曲面５１５が形成する回避空間によって回避される。第２結合部１１２１１は両側面に備えられる第２外箱フランジ１１２１にそれぞれ備えられるので、第２ブラケット５２０も同様に結合されることができる。
【０１１１】
図７の(ｂ)は、仮組立後、第１後方パネル１４１の下部で機械室形成部３００の第４形成部フランジ３２４４が第２外箱フランジ１１２１と結合した第２結合部１１２１１、そしてこれを回避して結合された第１ブラケット５１０の断面を示す。
【０１１２】
第２結合部は、上述したように、外箱の一側面１１２において反対側面に延びる第２外箱フランジ１１２１が第１開口部１１３の方向に陥没して第２結合部１１２１１を形成する。したがって、第２結合部は、外箱の一側面１１２のうち、第２開口部の方向に位置する辺から延びて、一部は第１後方パネル１４１と結合し、残りの部分は機械室形成部３００の第４形成部フランジ３２４４と結合する。
【０１１３】
したがって、図７の(ｂ)は第１ブラケット５１０が第１後方パネル１４１の下部で第１後方パネル１４１の代わりに第４形成部フランジ３２４４と結合した断面を示している。Ｌ字状に折り曲げられて延びた第４形成部フランジ３２４４は突出溝を備える。したがって、第４形成部フランジ３２４５が第２結合部１１２１１に挿入されてフック結合される。これは仮組立を容易にするためのものである。しかし、これに限られず、発泡プラスチックの漏れを防止できる結合であれば、他の結合方式であってもよい。
【０１１４】
また第１ブラケット５１０、第４形成部フランジ３２４４及び第２外箱フランジ１１２１はそれぞれ対応する位置にスクリュー締結溝を含む。この場合、仮組立後、ねじで第１ブラケット５１０、第４形成部フランジ３２４４及び第２外箱フランジ１１２１の結合部位をしっかり固定することができる。
【０１１５】
図７の(ａ)と同様に、第１ブラケット５１０の第１折曲面５１３は外箱の一側面１１２に結合し、第４折曲面５１６は第２結合部１１２１１を形成した後、第２外箱フランジ１１２１に結合する。より詳しくは、第２外箱フランジ１１２１が第２結合部１１２１１を形成した後、反対側面にさらに延びた部分と第４折曲面５１６が結合する。第２結合部１１２１１は第２折曲面５１３と第３折曲面５１５が形成する回避空間によって回避される。第２結合部１１２１１は両側面に備えられる第２外箱フランジ１１２１にそれぞれ備えられるので、第２ブラケット５２０も同様に結合されることができる。
【０１１６】
図７の(ｃ)は、第２開口部１１４の方向から第１開口部１１３を見た、第５形成部フランジ３２５５と第１外箱フランジ１１１１の第１結合部１１１１１及び第１結合部１１１１１を回避して結合する第２ブラケット５２０の断面を示す。第１ブラケット５１０と第２ブラケット５２０は外箱が一側面１１２のいずれにも設置可能にするために、折り曲げられた長さが同一に設計される。したがって、共用化された部品となって、経済的な側面で管理費用を節減できるという長所がある。第２ブラケット５２０も上述した第１ブラケット５１０と同じ形状及びサイズの第１折曲面５２３、第２折曲面５２４、第３折曲面５２５及び第４折曲面５２６を備えている。
【０１１７】
Ｌ字状に折り曲げられて延びた第５形成部フランジ３２５５は突出溝を備える。したがって、機械室形成部３００の下部に位置する第５形成部フランジ３２５５が第１結合部１１１１１に挿入されてフック結合される。これは仮組立を容易にするためのものである。しかし、これに限られず、発泡プラスチックの漏れを防止できる結合であれば、他の結合方式であってもよい。
【０１１８】
また第２ブラケット５２０の第３折曲面５２５と第４折曲面５２６は第１結合部１１１１１を回避できる。第１結合部１１１１１は両側面に備えられる第１外箱フランジ１１１１にそれぞれ備えられるので、第１ブラケット５１０も同様に結合されることができる。
【０１１９】
さらに、本明細書では特定の実施様態を図示、説明してきたが、同一の目的を達成するために計算される任意の構成を、開示された特定の実施様態に代えることもできることは、当業者であれば理解するところである。即ち、この出願は本発明の開示に関するいかなる適用や変化もカバーすると理解されるべきである。特許請求の範囲はこの明細書の特定の実施例に関連する開示の範囲に限定されない。したがって、変形実施例が本発明の特許請求の範囲の構成要素を含んでいると、本発明の権利範囲に属すると解釈されるべきである。
【図１】
2021531914.tif 000003
【図２】
2021531914.tif 000004
【図３】
2021531914.tif 000005
【図４】
2021531914.tif 000006
【図５】
2021531914.tif 000007
【図６】
2021531914.tif 000008
【図７】
2021531914.tif 000009
【国際調査報告】
2021531914.tif 000010
2021531914.tif 000011
2021531914.tif 000012
2021531914.tif 000013